(57)【要約】【課題】地震が発生した場合に住宅がどのように揺れるかを、過去に発生した地震や将来の発生が想定される地震に対して、住宅のプランや構造別に仮想表示できる住宅揺れ仮想表示装置および仮想表示方法を提供する。【解決手段】プラン情報記憶部１０と、地震情報記憶部１１と、構造情報記憶部１２と、これらから所望の情報が選択された際に、これら情報に基づいて、住宅の揺れ状態を表示部６に仮想表示させる揺れ状態表示手段とを備えているので、地震が発生した場合に住宅がどのように揺れるかを、過去に発生した地震や将来の発生が想定される地震に対して、住宅のプランや構造別に仮想表示できる。【選択図】図１
2008015897.tif 000002
【特許請求の範囲】
【請求項１】
地震の際の住宅の揺れ状態を仮想表示する住宅揺れ仮想表示装置であって、
住宅のプラン情報が記憶されたプラン情報記憶部と、
過去に発生した地震や将来の発生が想定される地震の地震情報が記憶された地震情報記憶部と、
住宅の構造情報が記憶された構造情報記憶部と、
前記プラン情報記憶部、地震情報記憶部、構造情報記憶部のそれぞれから所望の情報が選択された際に、これら情報に基づいて、住宅の揺れ状態を求めて表示部に表示させる揺れ状態表示手段とを備えたことを特徴とする住宅揺れ仮想表示装置。
【請求項２】
請求項１に記載の住宅揺れ仮想表示装置において、
前記構造情報記憶部から比較する複数の構造情報が選択された際に、前記揺れ状態表示手段は、前記表示部に複数の住宅の揺れ状態を求めて表示部に表示させることを特徴とする住宅揺れ仮想表示装置。
【請求項３】
請求項１または２に記載の住宅揺れ仮想表示装置において、
前記揺れ状態表示手段は、立面図に示された住宅が揺れている状態と、地震の波形とを表示部に動画として表示することを特徴とする住宅揺れ仮想表示装置。
【請求項４】
請求項１〜３のいずれか一項に記載の住宅揺れ仮想表示装置において、
前記プラン情報記憶部、地震情報記憶部、構造情報記憶部のそれぞれから所望の情報が選択された際に、これら情報に基づいて、住宅の被害状況を前記表示部に表示させる被害状況表示手段を備えていることを特徴とする住宅揺れ仮想表示装置。
【請求項５】
コンピュータによって、地震の際の住宅の揺れ状態を仮想表示する住宅揺れ仮想表示方法であって、
住宅のプラン情報が記憶されたプラン情報記憶部から所望のプランを選択するように促すプラン選択ステップと、
過去に発生した地震や将来の発生が想定される地震の地震情報が記憶された地震情報記憶部から所望の地震情報を選択するように促す地震選択ステップと、
住宅の構造情報が記憶された構造情報記憶部から所望の構造情報を選択するように促す構造選択ステップと、
前記プラン選択ステップ、地震選択ステップ、構造選択ステップで、所望の情報が選択された際に、これら情報に基づいて、住宅の揺れ状態を求めて表示部に表示させる揺れ状態表示ステップとを備えたことを特徴とする住宅揺れ仮想表示方法。
【発明の詳細な説明】
【技術分野】
【０００１】
本発明は、地震の際に、住宅がどのよう揺れるかを仮想表示できる住宅揺れ仮想表示装置および仮想表示方法に関する。
【背景技術】
【０００２】
地震動による建物の被害状況を予測することができる地震被害予測装置の一例として特許文献１に記載されているものが知られている。
この地震被害予測装置は、被害予測の対象とする建物の上部構造部の耐震性能を示す耐震指標と、当該建物が建てられている地盤の耐震性能を示す耐震指標及び上記建物の基礎構造部の耐震性能を示す耐震指標の双方か、又は耐震指標のみと、を導出し、導出した耐震指標に基づいて地震動による上記建物に対する被害程度を予測し、予測結果を出力するものである。
このような地震被害予測装置によれば、被害予測の対象とする建物が建てられている地盤の耐震性能を示す地盤耐震指標及び上記建物の基礎構造部の耐震性能を示す基礎構造部耐震指標の少なくとも一方が地下部耐震指標導出手段により導出され、導出された地盤耐震指標及び基礎構造部耐震指標の少なくとも一方に基づいて地震動による上記建物に対する被害程度が予測手段により予測される。
【特許文献１】特開２００４−１４５６９６号公報
【発明の開示】
【発明が解決しようとする課題】
【０００３】
ところで、住宅メーカ等が新規住宅を販売する場合、地震が発生した場合に住宅がどのように揺れるかを、過去に発生した地震や将来の発生が想定される地震に対して、住宅のプランや構造別に仮想表示して容易に提示できれば、住宅の販売ツールとして有効なものとなる。
しかし、このようなツールとしての住宅揺れ仮想表示装置は存在しておらず、また、前記地震被害予測装置でも、過去に発生した地震や将来の発生が想定される地震に対して、住宅のプランや構造別に住宅の揺れを仮想表示して提示することはできない。
【０００４】
本発明は上記事情に鑑みてなされたものであり、地震が発生した場合に住宅がどのように揺れるかを、過去に発生した地震や将来の発生が想定される地震に対して、住宅のプランや構造別に仮想表示できる住宅揺れ仮想表示装置および仮想表示方法を提供することを課題としている。
【課題を解決するための手段】
【０００５】
上記課題を解決するために、請求項１に記載の発明は、例えば図１に示すように、地震の際の住宅の揺れ状態を仮想表示する住宅揺れ仮想表示装置であって、
住宅のプラン情報が記憶されたプラン情報記憶部１０と、過去に発生した地震や将来の発生が想定される地震の地震情報が記憶された地震情報記憶部１１と、住宅の構造情報が記憶された構造情報記憶部１２と、前記プラン情報記憶部１０、地震情報記憶部１１、構造情報記憶部１２のそれぞれから所望の情報が選択された際に、これら情報に基づいて、住宅の揺れ状態を表示部６に仮想表示させる揺れ状態表示手段（ＣＰＵ２、ＲＡＭ３、プログラム記憶部１３）とを備えたことを特徴とする。
【０００６】
請求項５に記載の発明は、例えば図１および図２に示すように、コンピュータによって、地震の際の住宅の揺れ状態を仮想表示する住宅揺れ仮想表示方法であって、
住宅のプラン情報が記憶されたプラン情報記憶部１０から所望のプランを選択するように促すプラン選択ステップＳ１〜Ｓ４と、
過去に発生した地震や将来の発生が想定される地震の地震情報が記憶された地震情報記憶部１１から所望の地震情報を選択するように促す地震選択ステップＳ５と、
住宅の構造情報が記憶された構造情報記憶部１２から所望の構造情報を選択するように促す構造選択ステップＳ６と、
前記プラン選択ステップＳ１〜Ｓ４、地震選択ステップＳ５、構造選択ステップＳ６で、所望の情報が選択された際に、これら情報に基づいて、住宅の揺れ状態を表示部６に仮想表示させる揺れ状態表示ステップＳ７とを備えたことを特徴とする。
【０００７】
請求項１および５に記載の発明によれば、プラン情報記憶部１０、地震情報記憶部１１、構造情報記憶１２部のそれぞれから所望の情報が選択された際に、これら情報に基づいて、揺れ状態表示手段が住宅の揺れ状態を表示部６に仮想表示させるので、地震が発生した場合に住宅がどのように揺れるかを、過去に発生した地震や将来の発生が想定される地震に対して、住宅のプランや構造別に仮想表示できる。
【０００８】
請求項２に記載の発明は、請求項１に記載の住宅揺れ仮想表示装置において、
前記構造情報記憶部１２から比較する複数の構造情報が選択された際に、前記揺れ状態表示手段は、前記表示部６に複数の住宅の揺れ状態を表示部に仮想表示させることを特徴とする。
【０００９】
請求項２に記載の発明によれば、揺れ状態表示手段が、構造が異なる複数の住宅の揺れ状態を表示部に仮想表示させるので、顧客に構造の異なる複数の住宅の揺れ状態を提示することができ、よって顧客は所望の構造の住宅を選択する際に参考となる。
【００１０】
請求項３に記載の発明は、請求項１または２に記載の住宅揺れ仮想表示装置において、
前記揺れ状態表示手段は、立面図に示された住宅が揺れている状態と、地震の波形とを表示部６に動画として表示することを特徴とする。
【００１１】
請求項３に記載の発明によれば、揺れ状態表示手段は、立面図に示された住宅が揺れている状態と、地震の波形とを表示部６に動画として表示するので、視覚的に住宅の揺れを確認できる。
【００１２】
請求項４に記載の発明は、請求項１〜３のいずれか一項に記載の住宅揺れ仮想表示装置において、
前記プラン情報記憶部１０、地震情報記憶部１１、構造情報記憶部１２のそれぞれから所望の情報が選択された際に、これら情報に基づいて、住宅の被害状況を前記表示部６に表示させる被害状況表示手段を備えていることを特徴とする。
【００１３】
請求項４に記載の発明によれば、被害状況表示手段が、プラン情報、地震情報記憶、構造情報等の情報に基づいて、住宅の被害状況を表示部６に表示させるので、地震が発生した場合の住宅の被害状況を容易に知ることができる。
【発明の効果】
【００１４】
本発明によれば、プラン情報記憶部と、地震情報記憶部と、構造情報記憶部と、これら情報記憶部のそれぞれから所望の情報が選択された際に、これら情報に基づいて、住宅の揺れ状態を求めて表示部に表示させる揺れ状態表示手段とを備えているので、地震が発生した場合に住宅がどのように揺れるかを、過去に発生した地震や将来の発生が想定される地震に対して、住宅のプランや構造別に仮想表示できる。したがって、住宅メーカ等が住宅の販売ツールとして有効に利用できる。
【発明を実施するための最良の形態】
【００１５】
以下図面を参照して本発明の実施の形態について説明する。図１は本発明に係る住宅揺れ仮想表示装置の一例を示すブロック図である。
住宅揺れ仮想表示装置１は、内部にＣＰＵ（Central Processing Unit）２、ＲＡＭ（Random Access Memory）３、記憶装置４、キーボード・マウスなどからなる入力部５、表示部６などを備え、これらが内部バス７を介して相互に接続されたものであり、汎用のパーソナル・コンピュータで構成されている。
【００１６】
ＣＰＵ２は、入力部５で入力される各種指示信号に応じて、記憶装置４に格納されているデータやプログラムなどをＲＡＭ３に格納し、ＲＡＭ３内に格納されたプログラムに従って各種処理を実行し、その処理結果をＲＡＭ３に一時的に格納するとともに、処理結果を表示部６に表示する。
表示部６は、例えば、ＣＲＴ（Cathode Ray Tube）、ＬＣＤ（Liquid Crystal Display）などから構成され、ＣＰＵ２からの指示に従い各種データや処理結果を表示する。
記憶装置４はハードディスク装置によって構成されており、この記憶装置４にはプラン情報記憶部１０、地震情報記憶部１１、構造情報記憶部１２、プログラム・情報記憶部１３等が設けられている。
【００１７】
前記プラン情報記憶部１０には、図４や図５に示すような、表示部６に表示すべき画面の情報や、住宅の設計データが記憶されている。この設計データは住宅を設計する際のＣＡＤデータから入力されたものであり、例えば、住宅に設ける壁の壁位置、壁量、柱位置、開口部位置、開口部大きさ等が挙げられる。
また、壁位置、壁量、柱位置、開口部位置、開口部大きさ等の設計データは、各住宅のプランに対応付けて記憶されている。
この住宅のプランは、住宅の階数、住宅の建物面積に対応付けられた平面プランがモデルプランとして記憶されている。
【００１８】
また、前記地震情報記憶部１１には、図６に示すような、表示部６に表示すべき画面の情報や、過去に発生した地震の地震情報や、将来の発生が想定される地震に地震情報が記憶されている。地震情報は、例えば、地震の規模、地震波形、震度、揺れ時間等の地震データである。過去に発生した地震の地震データは、その大きさの１倍、１．５倍、２倍のものがそれぞれ記憶されている。また、将来の発生が想定される地震の地震データも同様にその大きさの１倍、１．５倍、２倍のものがそれぞれ記憶されている。
【００１９】
構造情報記憶部１２には、図７に示すような、表示部６に表示すべき画面の情報や、木質パネル構造、在来軸組構造、鉄骨軸組構造、ツーバイフォー構造等のような構造別の情報が記憶されている。また、これに加えて、耐震構造を採用しているか否かの情報、新耐震基準前の構造であるか、新耐震基準後の構造であるかの構造情報も記憶されている。
【００２０】
プログラム・情報記憶部１３には、住宅の揺れ状態を表示部６に仮想表示させるプラグラム、住宅の被害状況を仮想して表示部６に表示させるプログラム、住宅の被害状況を示す写真データや図面データ等が記憶されている。
【００２１】
また、住宅揺れ仮想表示装置１には、プラン情報記憶部１０、地震情報記憶部１１、構造情報記憶部１２のそれぞれから所望の情報が選択された際に、これら情報に基づいて、住宅の揺れ状態を表示部に仮想表示させる揺れ状態表示手段が設けられている。
この揺れ状態表示手段は、プログラム記憶部１３に記憶されている住宅の揺れ状態を表示部６に仮想表示させるプラグラム、このプログラムをＲＡＭ３に展開して実行するＣＰＵ２等によって構成されている。
そして、揺れ状態表示手段では、プラン情報記憶部１０、地震情報記憶部１１、構造情報記憶部１２に記憶されている情報に基づいて、各住宅の２階の床の横揺れ幅を算出し、これに基づいて、立面図として表現された住宅を左右に揺らすような動画として表示部６に表示できるようになっている。この動画としては例えば、図１３に示すように、住宅がその基礎を基点として左右に揺れるような動画と、横揺れ幅を、上下の振幅として時間の経過とともに波形として表示する動画とがある。また、揺れ状態表示手段では、選択された地震の時間経過に伴う地震波を前記住宅が揺れる動画とともに、表示部６に表示できるようになっている。
【００２２】
さらに、住宅揺れ仮想表示装置１には、プラン情報記憶部１０、地震情報記憶部１１、構造情報記憶部１２のそれぞれから所望の情報が選択された際に、これら情報に基づいて、住宅の被害状況を仮想して前記表示部６に表示させる被害状況表示手段を備えている。
この被害状況表示手段は、プログラム記憶部１３に、住宅の被害状況を写真データや図面データとして記憶されている被害状況情報と、この被害状況情報を表示部６に表示させるプログラム、このプログラムをＲＡＭ３に展開して実行するＣＰＵ２等によって構成されている。
そして、被害状況表示手段では、住宅のプラン、地震、構造等が選択されると、それに応じた被害状況を表示部６に表示できるようになっている。
【００２３】
次に、上記構成の住宅揺れ仮想表示装置１の動作について説明する。
まず、住宅揺れ仮想表示装置１を起動すると、図３に示すような、画面が表示部６に表示される。この画面には、プラン選択へと進むことを選択するアイコン２０，２１、地震選択へと進むことを選択するアイコン２２、比較構造選択へと進むことを選択するアイコン２３が表示されるが、まず、入力部５のマウスによって、「モデルプランから」と表示されているアイコン２０をクリックすると、図４に示すような画面が表示部６に表示される。この画面には、建物の階数、大型収納庫である蔵を備えているか、多雪地帯であるか等を選択するアイコン２４〜２７、建物面積を選択するアイコン２８，２９等が表示され、この画面と次の図５に示すような画面において、住宅のプランを選択する（ステップＳ１）。なお、この表示部６に表示される画面の情報はプラン情報記憶部１０に記憶されている。
【００２４】
次に、図４に示す画面で、アイコン２４〜２７のうちの所望のアイコンをマウスでクリックして建物の階数等を選択（ステップＳ２）し、さらに、マウスによって、アイコン２８かアイコン２９のいずれかをマウスでクリックして建物の面積を選択する（ステップＳ３）。
次に、「プランを検索」と表示されているアイコン３０をマウスによってクリックすると、図５に示すような画面が表示される。この画面には、建物の平面プランを選択するアイコン３１〜３５等が表示される。なお、この表示部６に表示される画面の情報はプラン情報記憶部１０に記憶されている。
次に、アイコン３１から３５のうちの所望のアイコンをマウスでクリックして平面プランを選択した（ステップＳ４）後、「決定」と表示されているアイコン３６をマウスによってクリックすると図３に示す画面に戻る。なお、図５に示す画面において、「戻る」と表示されているアイコン３７をマウスによってクリックすると、図４に示す画面に戻って、階数選択や建物面積選択を再び行えるようになっている。
【００２５】
次に、図３に示す画面において、アイコン２２をマウスによってクリックすると、図６に示すような画面が表示部６に表示される。この画面には、地震を選択するアイコン３８〜４２が日本地図とともに表示される。アイコン３８〜４１は過去に発生した地震を表示するものであり、アイコン４２は将来の発生が想定される地震を表示するものである。また、各アイコンには、その大きさの１倍、１．５倍、２倍とそれぞれ表示されたアイコンが表示されている。なお、この表示部６に表示される画面の情報は地震情報記憶部１１に記憶されている。
【００２６】
次に、前記アイコン３８〜４１のうちの所望のアイコンでかつ１倍、１．５倍、２倍とそれぞれ表示されたアイコンのうちのどれか一つをマウスによってクリックして地震を選択し（ステップＳ５）、「決定」と表示されているアイコン４３をマウスによってクリックすると、図３に示す画面に戻る。
次にこの画面において、アイコン２３をマウスによってクリックすると、図７に示すよな画面が表示部６に表示される。この画面には、住宅の構造を選択するアイコン４４〜５３が、その構造の住宅の外観や簡単な内容説明を図示したものとともに表示される。
次に、アイコン４４〜４８のうちの一つと、アイコン４９〜５３のうちの一つをマウスによってクリックして構造を選択する（ステップＳ６）。この場合、構造の比較を行うために、アイコン４４〜４８と、アイコン４９〜５３とは、互いに異なる構造を示すアイコンを選択する。なお、構造の比較を行う必要がない場合は、アイコン４４〜４８のうちのいずれかを選択し、アイコン４９〜５３は選択しない。
そして、「決定」表示されているアイコン５４をマウスによってクリックすると、図３に示す画面に戻る。そして、この画面においてアイコン５５をクリックすると、上記のようにして選択してきた、住宅のプラン、地震情報、住宅の構造情報とに基づいて、揺れ状態表示手段によって、住宅の揺れ状態が求められて、図８に示すような画面が表示部６に表示される（ステップＳ７）。
【００２７】
この画面では、ステップＳ１（Ｓ２〜Ｓ４）で選択された住宅の階数、建物面積、平面プランと、ステップＳ５で選択された地震とに対して、異なる構造の住宅の揺れ状態が表示枠６０と表示枠６１とに表示される。表示枠６０，６１には、住宅の立面図と住宅の横揺れの波形が表示される。なお、前記ステップＳ６で、構造の比較を行わないためアイコン４４〜４８のうちの一つを選択した場合は、図８に示す画面では表示枠６０にのみ住宅の立面図が表示され、表示枠６１には何も表示されない。
また、表示枠６２に「再生」と表示されているアイコン６３をクリックすると、表示枠６０，６１に表示されている住宅はそれが左右に揺れる動画となる。また、表示枠６０，６１に表示されている波形（住宅の横揺れ波形を縦揺れ波形に変換した波形）は時間の経過に伴って表示される。また、表示枠６２には、選択された地震の地震波が表示される。
したがって、表示枠６０，６１，６２を見ることによって、住宅がどの程度の地震波でどの程度横揺れするかをイメージ的に確認できる。
【００２８】
次に、図８に示す画面において、「内観を見る」と表示されているアイコン６４をマウスによってクリックすると、図９に示すような画面が表示部６に表示される。この画面では、前記表示枠６０，６１にそれぞれ住宅のリビング等を内観した写真が表示されるとともに、クロス、壁等に生じた損傷の跡Ｋが表示される。
そして、例えば、表示枠６０，６１に「被害状況を見る」と表示されているアイコン６５をマウスによってクリックすると、図１１に示すような画面が表示される。この画面では前記表示枠６０が拡大された表示枠６６が表示され、この表示枠６６内の写真で所定の位置をマウスによってクリックすると、さらに表示枠６７が表示され、この表示枠６７内に被害状況の拡大した写真が表示される。これを見ることによって、住宅内の被害状況を知ることができる。
【００２９】
また、表示枠６６を閉じると、図９に示す画面に戻るが、この画面において、「状況一覧表示」と表示されているアイコン６８をマウスによってクリックすると、図１２に示すような画面が表示部６に表示される。この画面では、住宅の内装材や外装材の損傷状況が写真と簡単なコメントとで表示されるとともに、全体評価も簡単なコメントとして表示される。また、表示枠６９には、ステップＳ５で選択した地震の震度に応じて、気象庁等からの震度と被害状況に関するコメントが表示され、表示枠７０には地震による住宅の水平変形量が立面図に表示される。
また、図８や図９に示す画面において、「コメント」と表示されているアイコン７１をマウスによってクリックすると、選択した地震に対する住宅の被害状況がコメントとして表示される。
図１２に示す画面に表示される、写真、コメント等のデータは、住宅のプラン、構造、地震等に応じて、それぞれ前記地震情報記憶部１１に記憶されている。
【００３０】
また、図８や図９に示す画面において、「外観を見る」と表示されているアイコン７２，７３をマウスによってクリックすると、図示は省略するが、住宅の外観が図９に示す表示枠６０，６１に表示される。また、「外観拡大」と表示されているアイコン７４をマウスによってクリックすると、図１０に示すように、表示枠６０，６１に拡大された住宅の外観が表示される。この図１０に示す画面において、「再生」と表示されているアイコン６３をマウスによってクリックすると、表示枠６０，６１に表示されている住宅の拡大部分が左右に揺れる動画となる。
なお、図８や図１０に示す画面において、アイコン６３をクリックした後、「停止」と表示されているアイコン７５をクリックすると、表示枠６０，６１に表示されている住宅の揺れ状況を示す動画が停止し、揺れている瞬間の住宅の立面図が表示される。
【００３１】
また、図８に示す画面において、「比較構造条件を変更」と表示されているアイコン７６をマウスによってクリックすると、図７に示す画面に戻って、再び住宅の構造を選択できるようになっている。さらに、「地震条件を変更」と表示されているアイコン７７をマウスによってクリックすると、図６に示す画面に戻って、再び地震を選択できるようになっている。
【００３２】
以上説明したように、本実施の形態によれば、プラン情報記憶部１０、地震情報記憶部１１、構造情報記憶部１２のそれぞれから所望の情報が選択された際に、これら情報に基づいて、揺れ状態表示手段が住宅の揺れ状態を求めて表示部６に表示させるので、地震が発生した場合に住宅がどのように揺れるかを、過去に発生した地震や将来の発生が想定される地震に対して、住宅のプランや構造別にシミュレーションして表示できる。したがって、したがって、住宅メーカ等が住宅の販売ツールとして有効に利用できる。
また、揺れ状態表示手段が、構造が異なる複数の住宅の揺れ状態を表示部６に表示させるので、顧客に構造の異なる複数の住宅の揺れ状態を提示することができ、よって顧客は所望の構造の住宅を選択する際に参考となる。
さらに、揺れ状態表示手段は、立面図に示された住宅が揺れている状態と、地震の波形とを表示部に動画として表示するので、視覚的に住宅の揺れを確認できる。
また、被害状況表示手段が、プラン情報、地震情報記憶、構造情報記憶等の情報に基づいて、住宅の被害状況を表示部に表示させるので、地震が発生した場合の住宅の被害状況を容易に知ることができる。
【図面の簡単な説明】
【００３３】
【図１】本発明に係る住宅揺れ仮想表示装置の一例を示すもので、そのブロック図である。
【図２】本発明に係る住宅揺れ仮想表示方法を説明するフローチャートである。
【図３】本発明に係る住宅揺れ仮想表示装置の一例を示すもので、プラン、地震、構造を選択する際に表示部に表示される画面を示す図である。
【図４】同、プランを選択する際に表示部に表示される画面を示す図である。
【図５】同、平面プランを選択する際に表示部に表示される画面を示す図である。
【図６】同、地震を選択する際に表示部に表示される画面を示す図である。
【図７】同、構造を選択する際に表示部に表示される画面を示す図である。
【図８】同、住宅の揺れ状態が表示される画面を示す図である。
【図９】同、住宅の被害状況が表示される画面を示す図である。
【図１０】同、住宅の揺れ状態が拡大表示される画面を示す図である。
【図１１】同、住宅の被害状況が拡大表示される画面を示す図である。
【図１２】同、住宅の被害状況の一覧が表示される画面を示す図である。
【図１３】同、住宅の揺れ状態を示す図である。
【符号の説明】
【００３４】
１  住宅揺れ仮想表示装置
６  表示部
１０  プラン情報記憶部
１１  地震情報記憶部
１２  構造情報記憶部
【図１】
2008015897.tif 000003
【図２】
2008015897.tif 000004
【図３】
2008015897.tif 000005
【図４】
2008015897.tif 000006
【図５】
2008015897.tif 000007
【図６】
2008015897.tif 000008
【図７】
2008015897.tif 000009
【図８】
2008015897.tif 000010
【図９】
2008015897.tif 000011
【図１０】
2008015897.tif 000012
【図１１】
2008015897.tif 000013
【図１２】
2008015897.tif 000014
【図１３】
2008015897.tif 000015